(57)【要約】【課題】複数のアンテナを搭載した小型のテレビ受信機において、デジタルテレビ放送をダイバーシティで受信する場合、アンテナ間の距離が近くなることで、アンテナの電波受信特性が劣化する。【解決手段】テレビ受信機３０１の筐体上部背面において、各々が遠ざかるように水平に外方向へ伸ばした後、垂直に上方向に折り曲げ、さらに水平に内方向へ戻るように構成したアンテナ３０２および３０２’を左右対称に２対備える。【選択図】図３
2010183225.tif 000002
【特許請求の範囲】
【請求項１】
デジタルテレビ放送を受信するテレビ受信機のアンテナであって、
前記アンテナを取り付けるテレビ受信機の筐体背面において、一旦、各々が遠ざかるように水平に伸ばした後、垂直に上方向に折り曲げ、さらに各々が近づくように水平に戻るように構成したものを左右対称に２対備えることを特徴とする、
テレビ受信機のアンテナ。
【請求項２】
前記２対のアンテナの先端間の距離を２５ｍｍ以上離して配置することを特徴とする、
請求項１に記載のテレビ受信機のアンテナ。
【請求項３】
前記２対のアンテナは、前記テレビ受信機の筐体背面の上部に取り付けることを特徴とする、
請求項１に記載のテレビ受信機のアンテナ。
【請求項４】
前記２対のアンテナ、および前記２対のアンテナにつなげる整合回路を、取っ手などのアンテナ収納部に収納することを特徴とする、
請求項１に記載のテレビ受信機のアンテナ。
【請求項５】
前記整合回路の後段に、ＬＮＡ（Ｌｏｗ  Ｎｏｉｓｅ  Ａｍｐｌｉｆｉｅｒ）を搭載することを特徴とする、
請求項１に記載のテレビ受信機のアンテナ。
【請求項６】
デジタルテレビ放送を受信するテレビ受信機のアンテナであって、
前記アンテナを取り付けるテレビ受信機の筐体背面に対して、直角に外方向へ伸ばした後、垂直に上方向に折り曲げ、さらに各々が近づくように水平に内方向へ戻るように構成したものを左右対称に２対備えることを特徴とする、
テレビ受信機のアンテナ。
【請求項７】
前記２対のアンテナの先端間の距離を２５ｍｍ以上離して配置することを特徴とする、
請求項６に記載のテレビ受信機のアンテナ。
【請求項８】
前記２対のアンテナは、前記テレビ受信機の筐体背面の上部に取り付けることを特徴とする、
請求項６に記載のテレビ受信機のアンテナ。
【請求項９】
前記２対のアンテナ、および前記２対のアンテナにつなげる整合回路を、取っ手などのアンテナ収納部に収納することを特徴とする、
請求項６に記載のテレビ受信機のアンテナ。
【請求項１０】
前記整合回路の後段に、ＬＮＡ（Ｌｏｗ  Ｎｏｉｓｅ  Ａｍｐｌｉｆｉｅｒ）を搭載することを特徴とする、
請求項６に記載のテレビ受信機のアンテナ。
【発明の詳細な説明】
【技術分野】
【０００１】
本発明は、デジタルテレビ放送を受信するテレビ受信機のアンテナの形状に関するものである。
【背景技術】
【０００２】
地上デジタルテレビ放送の開始にともない、２０１１年７月２４日には、現行の地上アナログテレビ放送が終了する予定である。そのため、地上デジタルテレビ放送に対応したテレビ受信機の需要が拡大している。
このようなテレビ受信機には、大画面の据え置きタイプのものだけではなく、携帯電話や車載テレビ、ポータブルテレビなどに代表される小型のポータブルタイプのものがある。
ポータブルタイプのテレビ受信機は、どこにでも持ち運べることが前提となるため、そのアンテナも据え置きタイプのものとは異なる。
据え置きタイプのテレビ受信機では、屋根の上などに設置されたＵＨＦ（Ｕｌｔｒａ  Ｈｉｇｈ  Ｆｒｅｑｕｅｎｃｙ）アンテナを使って受信する。このとき、前記据え置きタイプのテレビ受信機は、前記ＵＨＦアンテナとつながっている宅内のアンテナコンセントに同軸ケーブルで接続して地上デジタルテレビ放送を受信する。
【０００３】
一方、ポータブルタイプのテレビ受信機では、テレビ受信機自体にアンテナを取り付け、地上デジタルテレビ放送を直接受信する。
このように、テレビ受信機自体に取り付けたアンテナを使って地上デジタルテレビ放送を直接受信するためには、通常、アンテナを１本使って受信する方法がある。さらに受信感度を向上させ、高品質に受信するためには、複数のアンテナを使って受信した信号を合成する「ダイバーシティ」という受信方法がある。
ダイバーシティの受信方法（ダイバーシティ方式による受信方法）では、複数のアンテナをテレビ受信機の筐体に取り付けなければならない。そのため、複数のアンテナをどう配置するかに関しては、様々な技術がある（例えば、特許文献１参照）。
図１に、特許文献１に開示されている従来のマイクロ波帯の無線送受信装置１０１の概略構成図を示す。図１に示すように、無線送受信装置１０１の筐体の取っ手１０４の内部に、２本の直線型のアンテナ１０２、１０２‘が収納されている。このようにアンテナを配置することにより、美観的にすっきりとした構成にすることができる。
【特許文献１】特開２００２−２６１６４６号公報
【発明の開示】
【発明が解決しようとする課題】
【０００４】
しかしながら、従来のアンテナの配置方法を、小型のポータブルタイプのテレビ受信機に適用した場合、新たな課題が生じる。
通常、アンテナの長さは、受信する電波の波長をλ［ｍ］とすると、λ／４［ｍ］となる。例えば、マイクロ波を受信する場合、その波長λを１２．５［ｃｍ］とすると、アンテナ長は、約３［ｃｍ］となる。
一方、地上デジタルテレビ放送を受信する場合、その波長λを約５０［ｃｍ］とすると、アンテナ長は、約１２．５［ｃｍ］となる。
このように、地上デジタルテレビ放送を受信する場合、従来例と比較してアンテナ長が長くなる。そのため、ダイバーシティで受信する場合、従来例のように、２本のアンテナを垂直に立てると、アンテナの突出により、垂直方向に大きくなり、小型のポータブルタイプの筐体に適用することが困難となる。
【０００５】
また、図２に示すように、従来例の２本のアンテナを途中で折り曲げたとしても、小型の筐体の場合、２本のアンテナ２０２と２０２‘の先端間の距離が近づき、アンテナ間の結合が生じる。その結果、個々のアンテナの受信特性が劣化する恐れがある。
以下、アンテナ間の結合に関して、説明する。
アンテナで電波を受信する際、アンテナの周囲の電界により、アンテナ素子とグラウンドに電荷が生じ、アンテナに電流が流れる。しかし、アンテナの近傍に他の金属物がある場合、当該他の金属物にも電荷が発生する。このため、アンテナの周囲に金属物がない場合と比較し、電界によって生じる電流が異なったものとなり、アンテナの受信特性が劣化してしまう。
これは、アンテナと他の金属が結合している例であるが、他の金属物がアンテナの場合、アンテナ間で結合が発生してしまう。
【０００６】
本発明は、上記の課題を解決するもので、２本のアンテナの先端の距離を離すようにして、２本のアンテナを構成する。これにより、２本のアンテナの受信特性を劣化させることなく、小型のポータブルタイプのテレビ受信機に適用できるアンテナを提供することを目的とする。
【課題を解決するための手段】
【０００７】
上記従来の課題を解決するために、本発明のテレビ受信機のアンテナは、テレビ受信機の筐体上部背面において、一旦、各々が遠ざかるように水平に伸ばした後、垂直に上方向に折り曲げ、さらに各々が近づくように水平に戻るように構成したものを左右対称に２対備える。
この構成により、２対のアンテナの先端間の距離が離れ、アンテナ間の結合を回避しつつ、垂直方向に対して小型化できる。
なお、「垂直方向」とは、テレビ受信機の映像画面の垂直方向（映像画面における水平走査方向と直交する方向）と略平行な方向を含む概念である。
また、「水平」（「水平方向」）とは、テレビ受信機の映像画面の水平方向（映像画面における水平走査方向）と略平行な方向を含む概念である。
【発明の効果】
【０００８】
本発明のテレビ受信機のアンテナは、小型のポータブルタイプのテレビ受信機でデジタルテレビ放送をダイバーシティで受信する際に問題となるアンテナ間の結合を回避するとともに、垂直方向に対して小型化できる。
【発明を実施するための最良の形態】
【０００９】
以下、本発明の実施の形態について、図面を参照しながら説明する。
（実施の形態１）
図３に、本発明の実施の形態１におけるテレビ受信機３０１を示す。以下、地上デジタルテレビ放送を受信するテレビ受信機３０１のアンテナ３０２、３０２‘について説明する。
テレビ受信機３０１は、地上デジタルテレビ放送の受信感度を向上させ、高品質に受信するために、２本のアンテナ３０２、３０２’を備え、それぞれのアンテナ３０２、３０２’で受信した地上デジタルテレビ放送信号をダイバーシティにより合成する。
アンテナ３０２、３０２’で受信した放送信号は、地上デジタルテレビ放送の信号であり、その周波数帯域は、４７０［ＭＨｚ］〜７７０［ＭＨｚ］である。この周波数帯の中間周波数である６２０［ＭＨｚ］から、波長λ［ｍ］は、約５０［ｃｍ］となる。このとき、アンテナ３０２、３０２’の長さは、λ／４＝１２．５［ｃｍ］となる。
【００１０】
図３に示すように、アンテナ３０２、３０２’は、テレビ受信機３０１の筐体上部背面において、一旦、各々が遠ざかるように水平に伸ばした後、垂直に上方向に折り曲げ、さらに各々が近づくように水平に戻るように構成したものを左右対称に２対備える。
ところで、アンテナ３０２、３０２’の電波受信特性を評価する指標の一つとして、「平均アンテナ利得」がある。これは、地上デジタルテレビ放送の送信局のアンテナが電波を輻射する偏波面内で、アンテナ３０２、３０２’の角度を変化させて、各角度におけるアンテナ利得を平均化したものである。
ここで、アンテナ３０２と３０２’の先端間の距離ｄが近づきすぎると、アンテナ３０２と３０２’間の結合により、平均アンテナ利得が悪化する。
以下に、アンテナ間の結合に関して、説明する。
【００１１】
アンテナ３０２で電波を受信する際、アンテナ３０２の周囲の電界により、アンテナ３０２とグラウンドに電荷が生じ、アンテナ３０２に電流が流れる。しかし、アンテナ３０２の近傍に他のアンテナ３０２’がある場合、他のアンテナ３０２’にも電荷が発生する。このため、アンテナ３０２の周囲に他のアンテナ３０２’がない場合と比較し、電界によって生じる電流が異なったものとなり、アンテナ３０２の受信特性が劣化してしまう。これは、一方のアンテナ３０２’の受信特性の劣化にもつながる。
このような相互干渉のため、アンテナ３０２と３０２’の先端間は、上記結合が生じない程度に離す必要がある。
一例として、縦約２００［ｍｍ］×横約２５５［ｍｍ］×高さ約４０［ｍｍ］の導電性の筐体を想定した場合、図４に示すように、アンテナ３０２、３０２’の先端間の距離ｄを２５［ｍｍ］以上とすると、アンテナ３０２と３０２’間の結合による受信特性の劣化が生じないことが明らかになっている。
【００１２】
そのため、距離ｄは、２５［ｍｍ］以上となるように、アンテナ３０２、３０２’の先端間を離すと良い。
アンテナ３０２、３０２’で受信した放送信号は、整合回路部３０５、３０５’で、アンテナ３０２、３０２’と、以降で説明するチューナ部３０７と、のインピーダンスの整合をとり、放送信号の反射を回避する。
整合回路部３０５、３０５’を経由した放送信号は、破線の矢印で示すように、同軸線などの伝送線路を通る。その後、放送信号は、アンテナ３０２、３０２’、および整合回路部３０５、３０５’を収納するアンテナ収納部３０４（取っ手）とテレビ受信機３０１の筐体を接続するヒンジ部３０３から筐体内のチューナ部３０７に入る。ヒンジ部３０３内には、固定棒３０６があり、アンテナ収納部３０４を筐体に取り付けるとともに、アンテナ収納部３０４を回転させることができる。
【００１３】
チューナ部３０７では、地上波デジタルテレビ放送のＭＰＥＧ２−ＴＳ信号を映像データに復号化する。その後、復号化された映像データは、デジタル−アナログ変換等の処理をした後、筐体内の表示パネルに出力され、表示パネルに映像が表示される。
また、整合回路部３０５、３０５’の大きさにより、アンテナ収納部の形状を図５に示すように変えることもできる。
さらに、アンテナ３０２と３０２’の長さを変える場合には、ヒンジ部３０３を水平方向に大きくすることによって対応できる。例えば、図６に示すように、ヒンジ部６０３を水平方向に大きくすることで、アンテナ６０２と６０２’を図３の場合のアンテナ３０２、３０２’と比較して短くすることができる。
なお、整合回路部３０５、３０５’、５０５、５０５’、６０５、６０５’の整合回路を経由した後（整流回路の後段）にＬＮＡ（Ｌｏｗ  Ｎｏｉｓｅ  Ａｍｐｌｉｆｉｅｒ）を搭載することで、放送信号が増幅され、さらに高感度で受信することもできる。
【００１４】
このように、テレビ受信機３０１において、アンテナ３０２と３０２’、５０２と５０２’、６０２と６０２’を構成することで、アンテナ間の結合を回避しつつ、垂直方向に対して小型化できる。
（実施の形態２）
図７に、本発明の実施の形態２におけるテレビ受信機７０１を示す。以下、地上デジタルテレビ放送を受信するテレビ受信機７０１のアンテナについて説明する。なお、図７に示すように、ｘ軸、ｙ軸およびｚ軸を設定する。
テレビ受信機７０１は、地上デジタルテレビ放送の受信感度を向上させ、高品質に受信するために、２本のアンテナ７０２、７０２’を備え、それぞれのアンテナ７０２、７０２’で受信した地上デジタルテレビ放送信号をダイバーシティにより合成する。
【００１５】
図７に示すように、アンテナ７０２、７０２’は、テレビ受信機７０１の筐体上部背面に対して、直角に外方向（ｚ軸正方向）へ伸ばした後、垂直に上方向（ｙ軸正方向）に折り曲げ、さらに各々が近づくように水平に内方向へ（アンテナ７０２についてはｘ軸正方向へ、アンテナ７０２’についてはｘ軸負方向へ）戻るように構成したものを左右対称に２対備える。
本実施形態のテレビ受信機７０１においても、実施の形態１と同様に、アンテナ７０２と７０２’の結合による電波受信特性の劣化を回避させるために、アンテナ７０２と７０２’の先端間の距離ｄを２５［ｍｍ］以上とする。
アンテナ７０２、７０２’で受信した放送信号は、整合回路部７０５、７０５’で、アンテナ３０２、３０２’と以降で説明するチューナ部７０７とのインピーダンスの整合をとり、放送信号の反射を回避する。
【００１６】
整合回路部７０５、７０５’を経由した放送信号は、破線の矢印で示すように、同軸線などの伝送線路を通る。その後、放送信号は、アンテナ７０２、７０２’、および整合回路部７０５、７０５’を収納するアンテナ収納部（取っ手）７０４とテレビ受信機７０１の筐体を接続するヒンジ部７０３から筐体内のチューナ部７０７に入る。ヒンジ部７０３内には、固定棒７０６があり、アンテナ収納部７０４をテレビ受信機７０１の筐体に取り付けるとともに、アンテナ収納部７０４をヒンジ部７０３により回転させることができる。
なお、テレビ受信機７０１において、整合回路部７０５、７０５’の整合回路を経由した後にＬＮＡ（Ｌｏｗ  Ｎｏｉｓｅ  Ａｍｐｌｉｆｉｅｒ）を搭載することで、放送信号が増幅され、さらに高感度で受信することもできる。
【００１７】
また、実施の形態１で説明したように、整合回路部７０５、７０５’の大きさにより、アンテナ収納部の形状を図５に示したように変えることもできる。さらに、アンテナ７０２と７０２’の長さを変える場合には、図５に示したように、ヒンジ部７０３を水平方向に大きくすることによって対応できる。
このように、テレビ受信機７０１において、アンテナ７０２と７０２’を構成することで、アンテナ間の結合を回避しつつ、垂直方向に対して小型化できる。
【産業上の利用可能性】
【００１８】
本発明にかかるテレビ受信機のアンテナは、どこにでも持ち運んで視聴するような車載やポータブルタイプのテレビ受信機に適用できる。また、アンテナを搭載した据え置きタイプのテレビ受信機にも応用できる。
【図面の簡単な説明】
【００１９】
【図１】従来例のアンテナの形状と配置を示す図
【図２】従来例のアンテナを折り曲げて配置した例を示す図
【図３】本発明の実施の形態１におけるテレビ受信機のアンテナの形状と配置を示す図
【図４】アンテナ先端間の距離と平均アンテナ利得の関係を示す図
【図５】本発明の実施の形態１におけるテレビ受信機のアンテナ収納部の形状を変えた例を示す図
【図６】本発明の実施の形態１におけるヒンジ部の大きさを変えた例を示す図
【図７】本発明の実施の形態２におけるテレビ受信機のアンテナの形状と配置を示す図
【符号の説明】
【００２０】
１０１  従来例の無線送受信装置
１０２、１０２’  従来例のアンテナ
１０３、１０３’  従来例のヒンジ部
１０４  従来例のアンテナ収納部（取っ手）
２０１  従来例の無線送受信装置      
２０２、２０２’  従来例のアンテナを折り曲げたアンテナ
２０３、２０３’  従来例のヒンジ部
２０４  従来例のアンテナ収納部（取っ手）
３０１、５０１、６０１、７０１  本発明におけるテレビ受信機
３０２、３０２’、５０２、５０２’、６０２、６０２’、７０２、７０２’  本発明におけるアンテナ
３０３、５０３、６０３、７０３  本発明におけるヒンジ部
３０４、５０４、６０４、７０４  本発明におけるアンテナ収納部（取っ手）
３０５、３０５’、５０５、５０５’、６０５、６０５’、７０５、７０５’  本発明における整合回路部
３０６、５０６、６０６、７０６  本発明におけるヒンジ部内の固定棒
３０７、５０７、６０７、７０７  本発明におけるチューナ部
【図１】
2010183225.tif 000003
【図２】
2010183225.tif 000004
【図３】
2010183225.tif 000005
【図４】
2010183225.tif 000006
【図５】
2010183225.tif 000007
【図６】
2010183225.tif 000008
【図７】
2010183225.tif 000009